(57)【特許請求の範囲】
【請求項１】
電子チラシ閲覧アプリケーションのユーザに割り当てられる複数のユーザグループのうちから、ユーザ端末装置にて動作する電子チラシ閲覧アプリケーションのユーザが属するユーザグループを決定するユーザグループ決定部と、
それぞれが異なる内容を有する複数の画面であって電子チラシ閲覧アプリケーションの利用に関連して案内を行う複数の案内画面を含む前記複数の画面のうちから、前記ユーザグループ決定部により決定されたユーザグループに対応付けられた一部の画面を、起動された電子チラシ閲覧アプリケーションの通常利用が可能となった状態となって最初の段階にて表示される画面として表示させる画面選択制御を行う表示制御部と
を備えるユーザ端末装置。
【請求項２】
前記ユーザグループ決定部は、
前記ユーザ端末装置にて動作する電子チラシ閲覧アプリケーションごとに一意に対応付けられた識別子であって、前記電子チラシ閲覧アプリケーションを利用するユーザごとに一意となる識別子に基づいてユーザグループを決定する
請求項１に記載のユーザ端末装置。
【請求項３】
前記表示制御部は、
前記画面選択制御を、電子チラシ閲覧アプリケーションの最初の起動から所定回までの起動において行う
請求項１または２に記載のユーザ端末装置。
【請求項４】
前記複数の画面には、電子チラシ閲覧アプリケーションの利用によって得られるサービスを享受するための登録を促す案内画面と、電子チラシ閲覧アプリケーションが有する所定の機能を利用するための登録を促す案内画面との少なくとも一方が含まれる
請求項１から３のいずれか一項に記載のユーザ端末装置。
【請求項５】
前記複数の画面には、電子チラシの閲覧に対応する初期操作画面がさらに含まれる
請求項４に記載のユーザ端末装置。
【請求項６】
電子チラシ閲覧アプリケーションが動作するユーザ端末装置からのアクセスに応じた所定の応答処理を行うアクセス応答処理部と、
前記アクセス応答処理部の処理結果に基づいて、ユーザ端末装置のユーザごとに対応する電子チラシ閲覧アプリケーションについての利用履歴を示す利用履歴情報を管理する利用履歴情報管理部と、
前記利用履歴情報に基づいて、起動された電子チラシ閲覧アプリケーションが通常利用が可能となった状態となって最初の段階にて表示する導入画面が異なるようにされたユーザのユーザグループごとに電子チラシ閲覧アプリケーションの利用の定着状況を評価する定着状況評価部と
を備える情報処理装置。
【請求項７】
電子チラシ閲覧アプリケーションのユーザに割り当てられる複数のユーザグループのうちから、ユーザ端末装置にて動作する電子チラシ閲覧アプリケーションのユーザが属するユーザグループを決定するユーザグループ決定ステップと、
それぞれが異なる内容を有する複数の画面であって電子チラシ閲覧アプリケーションの利用に関連して案内を行う複数の案内画面を含む前記複数の画面のうちから、前記ユーザグループ決定ステップにより決定されたユーザグループに対応付けられた一部の画面を、起動された電子チラシ閲覧アプリケーションの通常利用が可能となった状態となって最初の段階にて表示される画面として表示させる画面選択制御を行う表示制御ステップと
を実行する表示制御方法。
【請求項８】
電子チラシ閲覧アプリケーションが動作するユーザ端末装置からのアクセスに応じた所定の応答処理を行うアクセス応答処理ステップと、
前記アクセス応答処理ステップの処理結果に基づいて、ユーザ端末装置のユーザごとに対応する電子チラシ閲覧アプリケーションについての利用履歴を示す利用履歴情報を管理する利用履歴情報管理ステップと、
前記利用履歴情報に基づいて、起動された電子チラシ閲覧アプリケーションが通常利用が可能となった状態となって最初の段階にて表示する導入画面が異なるようにされたユーザのユーザグループごとに電子チラシ閲覧アプリケーションの利用の定着状況を評価する定着状況評価ステップと
を実行する情報処理方法。
【請求項９】
コンピュータに、
電子チラシ閲覧アプリケーションのユーザに割り当てられる複数のユーザグループのうちから、ユーザ端末装置にて動作する電子チラシ閲覧アプリケーションのユーザが属するユーザグループを決定するユーザグループ決定ステップと、
それぞれが異なる内容を有する複数の画面であって電子チラシ閲覧アプリケーションの利用に関連して案内を行う複数の案内画面を含む前記複数の画面のうちから、前記ユーザグループ決定ステップにより決定されたユーザグループに対応付けられた一部の画面を、起動された電子チラシ閲覧アプリケーションの通常利用が可能となった状態となって最初の段階にて表示される画面として表示させる画面選択制御を行う表示制御ステップと
を実行させるためのプログラム。
【請求項１０】
コンピュータに、
電子チラシ閲覧アプリケーションが動作するユーザ端末装置からのアクセスに応じた所定の応答処理を行うアクセス応答処理ステップと、
前記アクセス応答処理ステップの処理結果に基づいて、ユーザ端末装置のユーザごとに対応する電子チラシ閲覧アプリケーションについての利用履歴を示す利用履歴情報を管理する利用履歴情報管理ステップと、
前記利用履歴情報に基づいて、起動された電子チラシ閲覧アプリケーションが通常利用が可能となった状態となって最初の段階にて表示する導入画面が異なるようにされたユーザのユーザグループごとに電子チラシ閲覧アプリケーションの利用の定着状況を評価する定着状況評価ステップと
を実行させるためのプログラム。
【発明の詳細な説明】
【技術分野】
【０００１】
本発明は、ユーザ端末装置、情報処理装置、表示制御方法、情報処理方法及びプログラムに関する。
【背景技術】
【０００２】
電子チラシ配信サーバが配信する電子チラシを、ユーザ端末装置にインストールされた電子チラシ閲覧用のアプリケーションソフトウェア（電子チラシ閲覧アプリケーション）により閲覧できるようにした電子チラシ配信システムが知られている（例えば、特許文献１参照）。
【先行技術文献】
【特許文献】
【０００３】
【特許文献１】特開２０１２−７３９８６号公報
【発明の概要】
【発明が解決しようとする課題】
【０００４】
上記のような電子チラシ配信システムにおける電子チラシ配信サービスの提供者は、電子チラシ閲覧アプリケーションをユーザ端末装置にインストールしたユーザに、できるだけ電子チラシ閲覧アプリケーションの利用を定着させたいと考える。
電子チラシ閲覧アプリケーションの利用の定着を図るために電子チラシ配信サービスの提供者としては、多様な試みを行うことになる。このような試みの１つとして、電子チラシ閲覧アプリケーションが起動された後における所定の段階で、電子チラシ配信システムにおいて提供する各種のサービスや機能を告知し、サービスや機能の利用をユーザに促す案内画面を提示することが考えられる。
しかしながら、例えば１回の電子チラシ閲覧アプリケーションの起動に応じて、複数のサービスや機能ごとの案内画面を一度に続けて提示した場合には、ユーザが煩わしさを覚える可能性がある。
【０００５】
本発明は、このような事情に鑑みてなされたもので、電子チラシ閲覧アプリケーションにて、各種サービスや機能の案内を行う案内画面を、ユーザが煩わしさを覚えないように適切に提示できるようにすることを目的とする。
【課題を解決するための手段】
【０００６】
上述した課題を解決するための本発明の一態様は、電子チラシ閲覧アプリケーションのユーザに割り当てられる複数のユーザグループのうちから、ユーザ端末装置にて動作する電子チラシ閲覧アプリケーションのユーザが属するユーザグループを決定するユーザグループ決定部と、それぞれが異なる内容を有する複数の画面のうちから、前記ユーザグループ決定部により決定されたユーザグループに対応付けられた画面を、起動された電子チラシ閲覧アプリケーションにより所定の段階にて表示される画面として表示させる画面選択制御を行う表示制御部とを備えるユーザ端末装置である。
【０００７】
本発明の一態様は、電子チラシ閲覧アプリケーションが動作するユーザ端末装置からのアクセスに応じた所定の応答処理を行うアクセス応答処理部と、前記アクセス応答処理部の処理結果に基づいて、ユーザ端末装置のユーザごとに対応する電子チラシ閲覧アプリケーションについての利用履歴を示す利用履歴情報を管理する利用履歴情報管理部と、前記利用履歴情報に基づいて、起動された電子チラシ閲覧アプリケーションが所定の段階にて表示する画面が異なるようにされたユーザのユーザグループごとに電子チラシ閲覧アプリケーションの利用の定着状況を評価する定着状況評価部とを備える情報処理装置である。
【０００８】
本発明の一態様は、電子チラシ閲覧アプリケーションのユーザに割り当てられる複数のユーザグループのうちから、ユーザ端末装置にて動作する電子チラシ閲覧アプリケーションのユーザが属するユーザグループを決定するユーザグループ決定ステップと、それぞれが異なる内容を有する複数の画面のうちから、前記ユーザグループ決定ステップにより決定されたユーザグループに対応付けられた画面を、起動された電子チラシ閲覧アプリケーションにより所定の段階にて表示される画面として表示させる選択表示制御を行う表示制御ステップとを実行する表示制御方法である。
【０００９】
本発明の一態様は、電子チラシ閲覧アプリケーションが動作するユーザ端末装置からのアクセスに応じた所定の応答処理を行うアクセス応答処理ステップと、前記アクセス応答処理ステップの処理結果に基づいて、ユーザ端末装置のユーザごとに対応する電子チラシ閲覧アプリケーションについての利用履歴を示す利用履歴情報を管理する利用履歴情報管理ステップと、前記利用履歴情報に基づいて、起動された電子チラシ閲覧アプリケーションが所定の段階にて表示する画面が異なるようにされたユーザのユーザグループごとに電子チラシ閲覧アプリケーションの利用の定着状況を評価する定着状況評価ステップとを実行する情報処理方法である。
【００１０】
本発明の一態様は、コンピュータに、電子チラシ閲覧アプリケーションのユーザに割り当てられる複数のユーザグループのうちから、ユーザ端末装置にて動作する電子チラシ閲覧アプリケーションのユーザが属するユーザグループを決定するユーザグループ決定ステップと、それぞれが異なる内容を有する複数の画面のうちから、前記ユーザグループ決定ステップにより決定されたユーザグループに対応付けられた画面を、起動された電子チラシ閲覧アプリケーションにより所定の段階にて表示される画面として表示させる選択表示制御を行う表示制御ステップとを実行させるためのプログラムである。
【００１１】
本発明の一態様は、コンピュータに、電子チラシ閲覧アプリケーションが動作するユーザ端末装置からのアクセスに応じた所定の応答処理を行うアクセス応答処理ステップと、前記アクセス応答処理ステップの処理結果に基づいて、ユーザ端末装置のユーザごとに対応する電子チラシ閲覧アプリケーションについての利用履歴を示す利用履歴情報を管理する利用履歴情報管理ステップと、前記利用履歴情報に基づいて、起動された電子チラシ閲覧アプリケーションが所定の段階にて表示する画面が異なるようにされたユーザのユーザグループごとに電子チラシ閲覧アプリケーションの利用の定着状況を評価する定着状況評価ステップとを実行させるためのプログラムである。
【発明の効果】
【００１２】
以上説明したように、本発明によれば、電子チラシ閲覧アプリケーションにて、各種サービスや機能の案内を行う案内画面を、ユーザが煩わしさを覚えないように適切に提示できるようになるという効果が得られる。
【図面の簡単な説明】
【００１３】
【図１】本実施形態における電子チラシ配信システムの構成例を示す図である。
【図２】本実施形態の電子チラシ閲覧アプリケーションの初回起動における画面の遷移例について説明する図である。
【図３】本実施形態の電子チラシ閲覧アプリケーションの初回起動における画面の遷移例について説明する図である。
【図４】本実施形態における電子チラシ配信サーバの構成例を示す図である。
【図５】本実施形態における利用履歴情報の内容例を示す図である。
【図６】本実施形態におけるユーザ端末装置の構成例を示す図である。
【図７】本実施形態におけるユーザ端末装置が電子チラシ閲覧アプリケーションの起動に応じて実行する処理手順例を示すフローチャートである。
【図８】本実施形態における電子チラシ配信サーバが、ユーザグループごとの電子チラシ閲覧アプリケーションの利用についての定着状況を評価するための処理手順例を示すフローチャートである。
【図９】本実施形態の変形例として追加される導入画面の例を示す図である。
【発明を実施するための形態】
【００１４】
［電子チラシ配信システムの構成例］
以下、本発明の実施形態について図面を参照して説明する。
図１は、本実施形態における電子チラシ配信システムの構成例を示している。同図に示す電子チラシ配信システムは、電子チラシ配信サーバ１００（情報処理装置の一例）と１以上のユーザ端末装置２００とを、ネットワークＮＴを介して接続して構成される。
【００１５】
電子チラシ配信サーバ１００は、広告主から提供される広告としての電子チラシをユーザ端末装置２００に配信する。電子チラシは、例えば新聞の折り込み広告などとして配布されるチラシを電子化したものである。
【００１６】
ユーザ端末装置２００は、上記のように電子チラシ配信サーバ１００から送信された電子チラシを受信し、受信された電子チラシを表示する。
ユーザ端末装置２００には、電子チラシ配信サーバ１００から配信された広告を閲覧するための電子チラシ閲覧アプリケーションがインストールされている。ユーザは、電子チラシ閲覧アプリケーションが起動されたユーザ端末装置２００を操作することにより、電子チラシ配信サーバ１００から配信された電子チラシを電子チラシ閲覧アプリケーション上で表示させ、表示された電子チラシを閲覧することができる。
ユーザ端末装置２００は、例えばスマートフォン、タブレット端末、携帯電話などのように、ネットワーク通信機能を有する携帯型の端末装置である。
【００１７】
ユーザ端末装置２００において動作する電子チラシ閲覧アプリケーションは、例えばユーザの操作に応じて、表示部の画面に表示すべき電子チラシを指定する電子チラシ要求を電子チラシ配信サーバ１００に送信する。電子チラシ配信サーバ１００は、受信された電子チラシ要求によって指定された電子チラシをユーザ端末装置２００に送信する。
このようにして、電子チラシ配信サーバ１００は、ユーザ端末装置２００に電子チラシを配信する。ユーザ端末装置２００において動作する電子チラシ閲覧アプリケーションは、配信された電子チラシを表示部に表示させる。
また、電子チラシ閲覧アプリケーションは、電子チラシの表示のほかに、本実施形態の電子チラシ閲覧システムにおいて提供するサービスを案内する案内画面なども電子チラシ配信サーバ１００から取得し、表示することができる。
【００１８】
［初回起動時における表示態様例］
続いて、図２及び図３を参照して、本実施形態の電子チラシ閲覧アプリケーションがユーザ端末装置２００にインストールされた後において最初に起動されたときの画面の遷移例について説明する。図２及び図３は、それぞれ、最初に起動された電子チラシ閲覧アプリケーションにより所定の段階にて表示される画面を示している。
また、以降の説明にあたり、ユーザ端末装置２００の表示部はタッチパネルとして構成されており、ユーザが指などの操作体を表示部の画面に接触させることによる操作が可能とされている場合を例に挙げる。
【００１９】
インストール後における最初の起動（初回起動）の場合、電子チラシ閲覧アプリケーションは、最初に図２（Ａ）に示すウェルカム画面を表示する。
電子チラシ閲覧アプリケーションが最初に起動されたということは、ユーザも電子チラシ閲覧アプリケーションを初めて利用する状況にある。ウェルカム画面は、電子チラシ閲覧アプリケーションを初めて利用するユーザに向けての歓迎の意図を表した図面である。また、同図のウェルカム画面においては、「はじめにチラシを見たいエリアを設定してね！」というように、初回起動に応じた初期設定操作として、配信指定地域を設定する操作を行うことをユーザに対して事前に知らせるメッセージが表示されている。
【００２０】
ウェルカム画面には、「はじめる」ボタンＢＴ１が配置されている。そこで、ユーザは、「はじめる」ボタンＢＴ１をタッチする操作を行う。ボタンＢＴ１をタッチする操作に応じて、ユーザ端末装置２００の表示部は、図２（Ｂ）の配信指定地域設定画面の表示に移行する。
同図の配信指定地域設定画面は、配信指定地域を設定する操作をユーザが行うための操作画面として１番目に表示される第１画面である。
本実施形態において電子チラシ配信サーバ１００が配信する電子チラシにはそれぞれ、配信対象とする地域である配信対象地域が設定されている。配信指定地域設定画面により設定される配信指定地域は、電子チラシに設定された配信対象地域のうち、ユーザが電子チラシの配信を受けるにあたって指定した１つの配信対象地域である。配信対象地域は、例えば郵便番号、市区町村などに基づいて区分される。
【００２１】
ユーザは、配信指定地域を設定したければ、同図の配信指定地域設定画面に対する操作を行うことによって、以降の配信指定地域の設定のための操作を進めていくことができる。具体的な図示は省略するが、同図の配信指定地域設定画面としての第１画面の階層下には、操作に応じた第２画面以下の所定の操作画面が用意されている。即ち、ユーザが或る操作画面に対して操作を行うことに応じて、次のしかるべき操作画面が表示されるようになっており、ユーザは配信指定地域の設定のための操作を順次進めていくことができる。
【００２２】
また、同図の配信指定地域設定画面においては、クローズボタンＢＴ１１が配置されている。ユーザは、配信指定地域の設定を後で行いたければクローズボタンＢＴ１１をタッチする操作を行えばよい。クローズボタンＢＴ１１がタッチされることに応じて、同図の配信指定地域設定画面の表示は消去される。
【００２３】
配信指定地域の設定操作を終えて配信指定地域が設定されたことに応じて、あるいは、配信指定地域設定画面（図２（Ａ））におけるクローズボタンＢＴ１１が操作されたことに応じて、ユーザ端末装置２００の表示部には、以下の画面が表示される。つまり、図３（Ａ）、図３（Ｂ）、図３（Ｃ）に示される３つの画面のうちのいずれか１つが表示される。
ここで、図３（Ａ）、図３（Ｂ）、図３（Ｃ）に示される画面は、電子チラシ閲覧アプリケーションの初回起動に応じた初期設定操作のための配信指定地域設定画面に次いで表示される画面であって、電子チラシの閲覧などのための電子チラシ閲覧アプリケーションの通常利用が可能となった状態において最初に表示される画面（導入画面）である。
【００２４】
図３（Ａ）の導入画面は、電子チラシリスト画面である。電子チラシリスト画面は、現在の配信指定地域の設定状態に応じて電子チラシ配信サーバ１００が配信対象とする全ての電子チラシのリストが提示される画面である。この電子チラシリスト画面は、電子チラシを閲覧するための操作を行う操作画面のうちで最初に表示される操作画面（初期操作画面）である。
なお、インストール後における２回目以降の電子チラシ閲覧アプリケーションの起動においては、例えば２回目以降の起動に応じた内容のオープニング画面の次に、同図の電子チラシリスト画面が表示される。
【００２５】
ユーザは、図３（Ａ）の電子チラシリスト画面において提示された電子チラシの項目のうちから１つの電子チラシの項目をタッチする操作を行うことにより、閲覧対象の電子チラシを指定する操作を行うことができる。電子チラシの項目をタッチする操作が行われると、電子チラシ閲覧アプリケーションは、タッチされた項目において示されていた電子チラシのデータを指定した電子チラシ要求を電子チラシ配信サーバ１００に送信する。
電子チラシ配信サーバ１００は、電子チラシ要求の受信に応答して、受信された電子チラシ要求により指定される電子チラシのデータをユーザ端末装置２００に送信する。ユーザ端末装置２００の電子チラシ閲覧アプリケーションは、電子チラシのデータが受信されると、これまでの電子チラシリスト画面の表示に代えて、受信された電子チラシの画像を表示部に表示させる。このようにして、ユーザは、電子チラシ閲覧アプリケーションにより電子チラシを閲覧することができる。
【００２６】
図３（Ｂ）の導入画面は、ポイント会員登録案内画面である。本実施形態の電子チラシ配信システムに対応する電子チラシ配信サービスのもとでは、サービスの１つとして、ポイントサービスを行っている。ポイントサービスは、ポイント会員に登録したユーザに、電子チラシ閲覧アプリケーションの利用に応じてポイントを付与し、ポイントの積算値に応じて例えば賞品の当たる抽選に応募できるなどの特典を付与するといったサービスである。
図３（Ｂ）の導入画面であるポイント会員登録案内画面は、ポイント会員に登録して電子チラシを閲覧することで賞品の当たる抽選に応募できるという特典があることをユーザに案内し、ポイント会員への登録をユーザに促す案内画面である。
【００２７】
同図のポイント会員登録案内画面が導入画面として表示された場合において、ユーザは、ポイント会員の登録を行おうと思った場合には、ポイント会員登録案内画面における登録開始ボタンＢＴ２１を操作すればよい。これにより、ユーザは、以降において順次表示される操作画面に対する操作により、ポイント会員の登録のための操作を進めていくことができる。
また、ユーザは、ポイント会員の登録は今の段階では行わないと考えた場合には、スキップボタンＢＴ２２を操作すればよい。これにより、ポイント会員登録案内画面は消去され、図３（Ａ）の電子チラシリスト画面の表示に移行することで電子チラシの閲覧が可能な状態となる。
【００２８】
図３（Ｃ）の導入画面は、お気に入り店舗登録案内画面である。「お気に入り店舗」は、例えば配信指定地域における広告主の店舗のうち、ユーザが電子チラシの閲覧に関して重視する店舗である。
例えば図３（Ａ）の電子チラシリスト画面においては、設定された配信指定地域に応じた全ての電子チラシのリストが表示される。その一方で、本実施形態における電子チラシ閲覧アプリケーションは、お気に入り店舗として登録された１以上の店舗のみの電子チラシリスト画面を表示する機能を有する。ただし、お気に入り店舗が１つも登録されていなければ、お気に入り店舗の電子チラシリスト画面には電子チラシは表示されない。
図３（Ｃ）の導入画面であるお気に入り店舗登録案内画面は、お気に入り店舗の登録をユーザに促す案内画面である。同図のお気に入り店舗登録案内画面においては、お気に入り店舗を登録する操作についての説明内容が表示されている。
【００２９】
お気に入り店舗登録案内画面が導入画面として表示された場合において、ユーザは、お気に入り店舗の登録を行おうと思った場合には、お気に入り店舗登録案内画面における登録開始ボタンＢＴ３１を操作すればよい。これにより、ユーザは、以降において順次表示される操作画面に対する操作により、お気に入り店舗の登録のための操作を進めていくことができる。
また、ユーザは、お気に入り店舗の登録は今の段階では行わないと考えた場合には、スキップボタンＢＴ３２を操作すればよい。これにより、お気に入り店舗登録案内画面は消去され、図３（Ａ）の電子チラシリスト画面の表示に移行することで電子チラシの閲覧が可能な状態となる。
【００３０】
なお、図２及び図３により説明した各画面の表示や、上記の電子チラシの画像の表示などは、電子チラシ閲覧アプリケーションに実装されたＷｅｂブラウザにて行われる。即ち、本実施形態において、電子チラシ閲覧アプリケーションにて表示される画面や電子チラシは、ＨＴＭＬ（HyperText Markup Language）、ＸＭＬ（Extensible Markup Language）などのマークアップ言語によるコンテンツ形式を有する。
【００３１】
本実施形態においては、電子チラシ閲覧アプリケーションの初回起動に際して、図３（Ａ）、図３（Ｂ）、図３（Ｃ）のいずれかによる導入画面が表示される。図３（Ａ）、図３（Ｂ）、図３（Ｃ）の導入画面のうち、電子チラシ配信システムにおけるサービスに関連した案内画面は図３（Ｂ）、図３（Ｃ）に示される２つの導入画面である。本実施形態においては、電子チラシ閲覧アプリケーションの初回起動に際して、図３（Ｂ）、図３（Ｃ）の２つの案内画面が表示されることはなく、いずれか一方のみが表示される。つまり、案内画面の表示回数は１回に抑えられている。これにより、案内画面が導入画面として表示されたとしてもユーザが煩わしさを覚える可能性を低くすることができる。即ち、本実施形態においては、各種サービスや機能の案内を行う案内画面を、ユーザが煩わしさを覚えないように適切に提示できる。
そのうえで、本実施形態においては、図３（Ａ）の電子チラシリスト画面のように、通常の電子チラシ閲覧用の操作画面が表示される可能性もあるようにされている。これにより、ユーザ全体として見た場合にも、煩わしさを覚える可能性のあるユーザ数が抑えられる。
【００３２】
また、本実施形態において、上記のような導入画面の表示は、電子チラシ閲覧アプリケーションの初回起動においてのみ行われる。このように、導入画面が表示される機会を制限することで、継続的な電子チラシ閲覧アプリケーションの使用にあたってユーザが煩わしさを覚えることがないようにもされている。
なお、導入画面の表示は、例えば初回起動のみに限定されない。つまり、導入画面の表示は、最初の起動から所定回までの起動において行われるようにされればよい。この場合において、導入画面の表示は、最初の起動から所定回までの起動ごとに行われてもよいし、或る定められた所定回の起動の際に行われるようにしてもよい。
【００３３】
そのうえで、本実施形態における電子チラシ配信サーバ１００は、図３（Ａ）、図３（Ｂ）、図３（Ｃ）のいずれかによる導入画面の表示を、ユーザの電子チラシ閲覧アプリケーションの利用についての定着率の評価にも用いる。
つまり、電子チラシ配信サーバ１００は、図３（Ａ）、図３（Ｂ）、図３（Ｃ）の導入画面を表示させたユーザのユーザグループごとに、初回起動以降におけるユーザの電子チラシ閲覧アプリケーションの利用履歴を収集する。電子チラシ配信サーバ１００は、収集された利用履歴に基づいて、各ユーザグループについての電子チラシ閲覧アプリケーションの利用についての定着状況を評価する。
ここでの「定着」とは、例えばユーザが電子チラシ閲覧アプリケーションを日常的に利用している状況として捉えることができる。ユーザの定着状況については、例えば、電子チラシ閲覧アプリケーションの起動頻度に基づいて評価することができる。また、ユーザの定着状況については、電子チラシ配信サービスにおけるポイントサービス、お気に入り店舗の電子チラシリスト画面の表示などの、サービスや機能をユーザが享受するための登録の状況に基づいても評価することができる。
上記のように本実施形態の導入画面の表示を利用して定着状況を評価することにより、電子チラシ配信サービスの提供者にとっては、どのような導入画面がユーザを定着させるのに効果的であるのか判断するための試験を、通常の電子チラシ配信システムの運用のもとでユーザが煩わしさを覚えないようにして行うことができる。
【００３４】
上記のような試験を行うにあたっては、図３（Ａ）の導入画面の表示と定着状況の評価、図３（Ｂ）の導入画面の表示と定着状況の評価、図３（Ｃ）の導入画面の表示と定着状況の評価を、例えばそれぞれ期間を分けて順次行うようにすることも考えられる。しかしながら、このような試験の手順では、それぞれの導入画面に応じた期間が分かれるために、最終的な評価結果が得られるまでの多くの時間を要してしまう。
これに対して、本実施形態においては、或る一定期間において、３つの各導入画面の表示と評価とを同時期に行うことが可能となる。これにより、最終的な評価結果が得られるまでに要する時間を短縮することができる。この場合、３つの各導入画面が表示されるユーザはユーザグループごとに異なるが、１つのユーザグループのユーザ数は、例えば数万人〜数十万人というように多数であることから、各ユーザグループにおけるユーザの傾向は平準化されるので、定着状況の評価結果としての信頼性は十分に維持される。
【００３５】
本実施形態において、上記の３つの導入画面のいずれが表示されるのかについて、即ち、初回起動された電子チラシ閲覧アプリケーションのユーザが属するユーザグループの決定については、電子チラシ閲覧アプリケーションごとに対応するユーザを示すユーザＩＤに基づいて行われる。
ユーザＩＤは、初回起動に際して電子チラシ閲覧アプリケーションによって取得（生成）される。このように取得されるユーザＩＤは、ユーザ端末装置２００にて動作する電子チラシ閲覧アプリケーションごとに一意に対応付けられたものであり、従って電子チラシ閲覧アプリケーションを利用するユーザごとに一意となる識別子（ＩＤ）として機能するものである。
【００３６】
そして、３つの導入画面ごとに対応するユーザグループについては、ユーザＩＤにおける所定の１以上の桁である決定利用桁の値に応じて決定される。具体的に、決定利用桁は、例えばユーザＩＤにおける上一桁であるとか下二桁といったように定めることができる。また、決定利用桁により採り得る値は、それぞれ、３つの導入画面のいずれか１つに対応付けられている。そこで、電子チラシ閲覧アプリケーションは、自己が取得したユーザＩＤにおける決定利用桁の値に対応付けられているユーザグループを、ユーザが属するユーザグループであると決定する。
【００３７】
上記のようなユーザグループの決定の仕組みにおいては、ユーザグループごとに対応付けるべき決定利用桁の値を変更することにより、初回起動された電子チラシ閲覧アプリケーションにおいて３つの導入画面が選択される確率をほぼ同等となるようにすることもできるし、それぞれ異ならせることもできる。
３つの導入画面が選択される確率をどのように設定するのかについては、例えば期待される定着状況や、予測されるユーザの反応などに応じて決定すればよい。一例として、導入画面として案内画面を表示した際にユーザが煩わしさを覚える可能性が高いと予測したような場合には、図３（Ａ）の電子チラシリスト画面が導入画面として表示される確率が、図３（Ｂ）、図３（Ｃ）の案内画面よりも高くなるように設定することができる。このためには、図３（Ａ）の電子チラシリスト画面のユーザグループに対応付ける決定利用桁の値の数（即ちユーザグループに属するユーザ数に相当する）を、図３（Ｂ）、図３（Ｃ）の案内画面のユーザグループに対応付ける決定利用桁の値の数よりも多くすればよい。
また、本実施形態においては、決定利用桁の全ての値に各導入画面に対応するユーザグループのいずれか１つを対応付けるように割り当てることもできるし、決定利用桁における一部の桁のみに複数のユーザグループのうちのいずれか１つを対応付けるように割り当てることもできる。
前者の割り当ての場合、電子チラシ閲覧アプリケーションの初回起動に際しては、いずれのユーザの場合にも、３つの導入画面のうちからいずれかを選択して表示する制御（画面選択制御）が実行される。
これに対して、後者の割り当ての場合、電子チラシ閲覧アプリケーションの初回起動に際して、或るユーザの場合には画面選択制御が実行されるが、他の或るユーザの場合には画面選択制御が実行されることなく、図３（Ａ）と同じ電子チラシリスト画面が導入画面として表示される。即ち、後者の割り当てによっては、電子チラシ閲覧アプリケーションを初めて利用するユーザのうちで、画面選択制御が実行されるユーザを一部に限定することが可能である。このようにユーザの限定を行うことによっても、電子チラシ閲覧アプリケーションを初めて利用するユーザ全体において煩わしさを覚える可能性を少なくすることができる。
【００３８】
［電子チラシ配信サーバの構成例］
次に、図４を参照して、電子チラシ配信サーバ１００の構成例について説明する。同図に示す電子チラシ配信サーバ１００は、通信部１０１、制御部１０２及び記憶部１０３を備える。
通信部１０１は、ネットワークＮＴ経由でユーザ端末装置２００と通信を行う。
【００３９】
制御部１０２は、電子チラシの配信に関する制御を実行する。制御部１０２としての機能は、電子チラシ配信サーバ１００が備えるＣＰＵ（Central Processing Unit）がプログラムを実行することにより実現される。
本実施形態における制御部１０２は、アクセス応答処理部１２１、利用履歴情報管理部１２２及び定着状況評価部１２３を備える。
【００４０】
アクセス応答処理部１２１は、電子チラシ閲覧アプリケーションが動作するユーザ端末装置２００からのアクセスに応じた所定の応答処理を行う。アクセス応答処理部１２１が行う応答処理の具体例として例えば以下の処理を挙げることができる。
つまり、応答処理の１つは、電子チラシ閲覧アプリケーションからの電子チラシリスト画面の要求に応答した電子チラシリストのデータの送信である。また、応答処理の１つは、電子チラシ閲覧アプリケーションからの電子チラシ要求に応じた電子チラシのデータの送信である。また、応答処理の１つは、電子チラシ閲覧アプリケーションからの画面要求に応じた操作画面や案内画面などの画面のデータの送信である。また、応答処理の１つは、電子チラシ閲覧アプリケーションからのポイント会員の登録のためのアクセスに応じたポイント会員の登録処理である。また、応答処理の１つは、電子チラシ閲覧アプリケーションからのお気に入り店舗の登録のためのアクセスに応じたお気に入り店舗の登録処理である。
【００４１】
利用履歴情報管理部１２２は、アクセス応答処理部１２１の処理結果に基づいて、ユーザ端末装置２００のユーザごとに対応する電子チラシ配信アプリケーションについての利用履歴を示す利用履歴情報を管理する。
【００４２】
定着状況評価部１２３は、利用履歴情報に基づいて、ユーザグループごとに電子チラシ閲覧アプリケーションの利用の定着状況を評価する。
【００４３】
記憶部１０３は、制御部１０２が利用する各種の情報を記憶する。同図に示すように、本実施形態の記憶部１０３は、電子チラシデータ記憶部１３１及び利用履歴情報記憶部１３２を備える。
電子チラシデータ記憶部１３１は、電子チラシ配信サーバ１００が配信可能な電子チラシのデータを記憶する。また、電子チラシデータ記憶部１３１は、電子チラシ閲覧アプリケーションにて表示される操作画面や案内画面などの画面のデータを記憶する。
利用履歴情報記憶部１３２は、利用履歴情報を記憶する。
【００４４】
図５は、利用履歴情報記憶部１３２が記憶する利用履歴情報の内容例を示している。同図に示すように、利用履歴情報記憶部１３２は、電子チラシ閲覧アプリケーションのユーザＩＤごとに利用履歴情報が対応付けられた構造である。なお、同図のユーザＩＤは、８桁の番号として示しているが、これはあくまでも一例であり、本実施形態におけるユーザＩＤの形式につては特に限定されない。
また、利用履歴情報は、電子チラシ閲覧履歴情報と登録状況情報とを含む。電子チラシ閲覧履歴情報は、対応のユーザＩＤが示す電子チラシ閲覧アプリケーションにより閲覧された電子チラシの履歴を示す。つまり、電子チラシ閲覧履歴情報は、対応のユーザＩＤが示す電子チラシ閲覧アプリケーションからの要求に応答して送信した電子チラシについての履歴を示す。
登録状況情報は、対応のユーザＩＤが示す電子チラシ閲覧アプリケーションを利用するユーザがこれまでに行っている各種登録に関する状況を示す。例えば、ユーザが配信指定地域を設定済みである場合には、登録状況情報には、設定された配信指定地域を示す情報が格納されている。ユーザがポイント会員としての登録を行っている場合には、登録状況情報には、ポイント会員に付与される会員ＩＤ、ポイント残高などの情報が格納されている。また、ユーザがお気に入り店舗を登録している場合には、登録状況情報には、登録されたお気に入り店舗を示す情報が格納されている。
【００４５】
［端末装置の構成例］
次に、図６を参照して、ユーザ端末装置２００の構成例について説明する。同図に示すユーザ端末装置２００は、通信部２０１、制御部２０２、記憶部２０３、表示部２０４及び操作部２０５を備える。
通信部２０１は、ネットワークＮＴ経由で電子チラシ配信サーバ１００と通信を行う。
【００４６】
制御部２０２は、電子チラシ閲覧アプリケーションの動作に関する制御を実行する。制御部２０２としての機能は、ユーザ端末装置２００が備えるＣＰＵが、電子チラシ閲覧アプリケーションのプログラムを実行することにより実現される。
制御部２０２は、電子チラシ閲覧アプリケーションのプログラムの実行により実現される機能として、ユーザグループ決定部２２１と表示制御部２２２とを備える。
【００４７】
ユーザグループ決定部２２１は、電子チラシ閲覧アプリケーションのユーザに割り当てられる複数のユーザグループのうちから、ユーザ端末装置２００にて動作する電子チラシ閲覧アプリケーションのユーザが属するユーザグループを決定する。
本実施形態において、ユーザグループ決定部２２１は、前述のように、初回起動に際して電子チラシ閲覧アプリケーションが取得したユーザＩＤにおける所定の決定利用桁の値に応じてユーザグループを決定することができる。この際、ユーザグループ決定部２２１は、記憶部２０３のユーザグループ情報記憶部２３１が記憶するユーザグループ情報を利用する。
【００４８】
表示制御部２２２は、それぞれが異なる内容を有する複数の画面のうちから、ユーザグループ決定部２２１により決定されたユーザグループに対応付けられた画面を、起動された電子チラシ閲覧アプリケーションにより所定の段階にて表示される画面（導入画面）として表示させる画面選択制御を行う。
このために、表示制御部２２２は、電子チラシ閲覧アプリケーションの初回起動に際して導入画面を表示すべきタイミングに至ると、ユーザグループ決定部２２１により決定されたユーザグループに対応付けられたＵＲＬ（Uniform Resource Locator）を指定して電子チラシ配信サーバ１００に対する導入画面要求を送信する。本実施形態において、表示制御部２２２は、ユーザグループに対応付けられたＵＲＬを、ユーザグループ情報記憶部２３１が記憶するユーザグループ情報から取得することができる。
上記のように送信された導入画面要求の受信に応答して、電子チラシ配信サーバ１００は、指定されたＵＲＬにより記憶されている画面のデータを送信する。このように送信される画面のデータは、例えば前述のようにＨＴＭＬ、ＸＭＬなどのマークアップ言語による形式である。表示制御部２２２は、受信された画面のデータを、電子チラシ閲覧アプリケーションに実装されたＷｅｂブラウザにより出力させる。このようにして電子チラシ閲覧アプリケーションにて導入画面が表示される。
【００４９】
記憶部２０３は、制御部２０２が利用する各種の情報を記憶する。例えば、記憶部２０３は、制御部２０２に対応するハードウェアとしてのＣＰＵが実行するプログラムを記憶する。このようなプログラムのなかに、電子チラシ閲覧アプリケーションのプログラムが含まれる。
また、同図の記憶部２０３においてはユーザグループ情報記憶部２３１が示される。ユーザグループ情報記憶部２３１は、ユーザグループ情報を記憶する。ユーザグループ情報は、ユーザグループごとに対応して、ユーザＩＤにおける所定の決定利用桁の値を示す情報である。ユーザグループ情報は、例えば電子チラシ閲覧アプリケーションがインストールされる際に電子チラシ閲覧アプリケーションが利用するデータの１つとして記憶される。
また、本実施形態のユーザグループ情報は、ユーザグループごとに対応する導入画面のＵＲＬを示す。このようなユーザグループ情報は、ユーザグループ決定部２２１がユーザグループを決定するにあたって利用される。また、ユーザグループ情報は、表示制御部２２２が導入画面を電子チラシ配信サーバ１００に要求する際に指定するＵＲＬを取得する際に利用することができる。
【００５０】
表示部２０４は、表示制御部２２２の制御に応じて画像を表示する。
操作部２０５は、ユーザ端末装置２００が備える操作子や操作デバイスなどを一括して示す。制御部２０２は、操作部２０５に対して行われた操作に応じた制御を実行する。なお、表示部２０４がタッチパネルとして構成される場合には、タッチパネルを構成するタッチパッドなどの入力デバイスも操作部２０５に含まれる。
【００５１】
［処理手順例］
図７のフローチャートを参照して、本実施形態の電子チラシ閲覧アプリケーションの起動に応じてユーザ端末装置２００が実行する処理手順例について説明する。
ユーザ端末装置２００にインストールされた電子チラシ閲覧アプリケーションを起動させるための操作が行われたことに応じて電子チラシ閲覧アプリケーションが起動される（ステップＳ１０１）。
電子チラシ閲覧アプリケーションが起動されると、ユーザグループ決定部２２１は、今回の起動が初回起動であるか否かについて判定する（ステップＳ１０２）。例えば電子チラシ閲覧アプリケーションが利用するものとして記憶部２０３に記憶されるデータには、初回起動が行われたか否かを示す初回起動フラグが含まれる。ユーザグループ決定部２２１は、初回起動フラグを参照することにより今回の起動が初回起動であるか否かを判定することができる。
【００５２】
今回の起動が初回起動であることが判定された場合（ステップＳ１０２−ＹＥＳ）、ユーザグループ決定部２２１は、ユーザＩＤを取得する（ステップＳ１０３）。
次に、ユーザグループ決定部２２１は、ステップＳ１０３により取得されたユーザＩＤを利用して、複数のユーザグループのうちから電子チラシ閲覧アプリケーションのユーザが属するユーザグループを決定する（ステップＳ１０４）。つまり、ユーザグループ決定部２２１は、ユーザグループ情報記憶部２３１が記憶するユーザグループ情報を参照することで、ステップＳ１０３により取得されたユーザＩＤにおける所定の決定利用桁の値が該当するユーザグループを認識する。ユーザグループ決定部２２１は、認識したユーザグループを、起動された電子チラシ閲覧アプリケーションのユーザが属するユーザグループとして決定する。
【００５３】
以降の処理は、初回起動に応じて図２及び図３にて説明したように、ウェルカム画面、配信指定地域設定画面、導入画面の順で画面を表示するための処理となる。
このため、表示制御部２２２は、ウェルカム画面要求を電子チラシ配信サーバ１００に対して送信する（ステップＳ１０５）。ウェルカム画面要求の送信にあたり、表示制御部２２２は、ウェルカム画面に対応するＵＲＬを指定する。ウェルカム画面に対応するＵＲＬは、電子チラシ閲覧アプリケーションが利用するデータの１つとして記憶部２０３に記憶されている。
ステップＳ１０５により送信されたウェルカム画面要求を受信した電子チラシ配信サーバ１００は、ウェルカム画面要求により指定されたＵＲＬに格納しているウェルカム画面のデータを電子チラシデータ記憶部１３１から取得する。電子チラシ配信サーバ１００は、取得されたウェルカム画面のデータをユーザ端末装置２００に送信する。
表示制御部２２２は、受信されたウェルカム画面のデータを、電子チラシ閲覧アプリケーションの画面として表示部２０４に表示させる（ステップＳ１０６）。画面の表示は、前述のように、電子チラシ閲覧アプリケーションが実装するＷｅｂブラウザにより画面のデータを出力させることによって行われる。
【００５４】
次に、表示制御部２２２は、ステップＳ１０６にて表示されたウェルカム画面に配置されている「はじめる」ボタンＢＴ１に対する操作、即ち、ウェルカム画面表示を終了させる操作（ウェルカム画面終了操作）が行われるのを待機する（ステップＳ１０７−ＮＯ）。
ウェルカム画面終了操作が行われると（ステップＳ１０７−ＹＥＳ）、表示制御部２２２は、配信指定地域設定画面のＵＲＬを指定する配信指定地域設定画面要求を電子チラシ配信サーバ１００に対して送信する（ステップＳ１０８）。
配信指定地域設定画面要求の受信に応答して、電子チラシ配信サーバ１００は図２（Ｂ）に示した配信指定地域設定画面の第１画面のデータを送信する。表示制御部２２２は、受信された配信指定地域設定画面の第１画面のデータを利用して、配信指定地域設定画面の第１画面を表示部２０４に表示させる（ステップＳ１０９）。
【００５５】
ステップＳ１０９により表示された配信指定地域設定画面の第１画面が表示された後、表示制御部２２２は、配信指定地域設定画面の表示が終了されるのを待機する（ステップＳ１１０−ＮＯ）。配信指定地域設定画面の表示が終了する場合とは、１つには配信指定地域設定画面に対する操作によって配信指定地域の設定が完了した場合である。あるいは配信指定地域の設定が行われることなく、配信指定地域設定画面の第１画面に配置されたクローズボタンＢＴ１１に対する操作が行われた場合である。
【００５６】
配信指定地域設定画面の表示が終了した場合（ステップＳ１１０−ＹＥＳ）、表示制御部２２２は、ステップＳ１０４にて決定されたユーザグループに対応する導入画面を要求する導入画面要求を電子チラシ配信サーバ１００に対して送信する（ステップＳ１１１）。この際、表示制御部２２２は、ステップＳ１０４にて決定されたユーザグループに対応付けられた導入画面のＵＲＬをユーザグループ情報記憶部２３１から取得し、取得したＵＲＬを指定する導入画面要求の送信を行う。
電子チラシ配信サーバ１００は、受信された導入画面要求により指定されるＵＲＬに格納された画面のデータを送信する。表示制御部２２２は、受信された導入画面のデータを利用して、導入画面を表示部２０４に表示させる（ステップ１１２）。この結果、ユーザ端末装置２００の表示部２０４には、図３（Ａ）、図３（Ｂ）、図３（Ｃ）のいずれかの導入画面が表示される。
【００５７】
また、２回目以降の電子チラシ閲覧アプリケーションの起動であることが判定された場合（ステップＳ１０２−ＮＯ）、ステップＳ１０３〜ステップＳ１１２による処理は実行されずに、２回目以降の起動に応じた通常の処理が実行される（ステップＳ１１３）。この結果、例えば前述のように、まず、２回目以降の起動に応じた内容のオープニング画面が表示され、次に、図３（Ａ）と同様の電子チラシリスト画面が表示される。
【００５８】
続いて、図８のフローチャートを参照して、電子チラシ配信サーバ１００が、ユーザグループごとの電子チラシ閲覧アプリケーションの利用についての定着状況を評価するための処理手順例について説明する。ここで、ユーザグループごとに定着状況を評価するということは、ユーザグループごとに対応する複数の導入画面のそれぞれがどの程度ユーザの定着に寄与しているのかを評価することである。
また、同図の処理は、初回起動において複数の導入画面の表示が行われるようにされた電子チラシ閲覧アプリケーションを一定の配布期間にわたって配布し、配布期間が終了してから一定期間を経過した後に実行されるようにすればよい。
【００５９】
電子チラシ配信サーバ１００において、定着状況評価部１２３は、利用履歴情報記憶部１３２が記憶する利用履歴情報を、ユーザグループごとに振り分ける（ステップＳ２０１）。即ち、利用履歴情報は、電子チラシ閲覧アプリケーションのユーザＩＤごとに対応付けられて管理されている。そこで、定着状況評価部１２３は、ユーザＩＤにおける所定の決定利用桁の値を参照することで、ユーザＩＤごとに対応する利用履歴情報を、複数のユーザグループのそれぞれに対応させて振り分ける。
【００６０】
次に、定着状況評価部１２３は、ステップＳ２０１により振り分けたユーザグループごとに、利用履歴情報から定着状況パラメータを収集する（ステップＳ２０２）。定着状況パラメータは、利用履歴情報に含まれる情報のうち、定着状況を評価するのに用いる情報である。
例えば、電子チラシ閲覧アプリケーションの起動回数が定着状況の評価に利用されるパラメータの１つである場合、定着状況評価部１２３は、ユーザＩＤに対応付けられた利用履歴情報のそれぞれから、電子チラシ閲覧アプリケーションの起動回数を示す情報を取得する。
また、電子チラシの閲覧回数が定着状況の評価に利用されるパラメータの１つである場合、定着状況評価部１２３は、ユーザＩＤに対応付けられた利用履歴情報のそれぞれから、電子チラシ要求に応答して電子チラシを送信した回数を取得する。
また、ポイント会員登録を行っている否かが定着状況の評価に利用されるパラメータの１つである場合、定着状況評価部１２３は、ユーザＩＤに対応付けられた利用履歴情報のそれぞれから、ポイント会員登録を行っているか否かを示す情報を取得する。
【００６１】
次に、定着状況評価部１２３は、ステップＳ２０２によりユーザグループごとに収集された定着状況パラメータを利用して、ユーザグループごとに対応する定着状況を評価する（ステップＳ２０３）。そして、定着状況評価部１２３は、ステップＳ２０３による評価結果を出力する（ステップＳ２０４）。
ステップＳ２０３による定着状況の評価の手法の具体例としては、ユーザグループごとに、電子チラシ閲覧アプリケーションの利用が定着したユーザの数（定着ユーザ数）を求めたうえで、ユーザグループに属するユーザ数に対する定着ユーザ数の比率を定着率として求めることができる。そして、ユーザグループごとに求められた定着率により、どの導入画面の表示がどの程度の定着率であったのかを把握できる。
また、ステップＳ２０４による定着状況についての評価結果の出力の態様としては、例えば画面への表示、印刷、記憶部１０３への記憶などにより行われればよい。
【００６２】
例えば、出力された評価結果に基づいていずれの導入画面の表示が最も定着率に寄与したのかが把握される。そこで、例えば初回起動に際して、導入画面としては最も定着率に寄与したものが表示されるように電子チラシ閲覧アプリケーションを作成し、ユーザ端末装置２００のユーザに向けて配布することができる。
【００６３】
［変形例］
続いて、本実施形態の変形例について説明する。本変形例では、図３（Ａ）、図３（Ｂ）、図３（Ｃ）に示した導入画面に加えて、図９に示す導入画面も表示される可能性があるように構成される。
図９の導入画面は、配信指定地域が設定済みの場合において利用可能となるお気に入り店舗登録のための操作画面である。同図の操作画面においては、設定された配信指定地域に対応する地域の店舗のリストが提示されている。ユーザは、提示された店舗のリストの項目欄における星型のマークをタッチする操作を行うことで、リストの項目欄に対応する店舗をお気に入り店舗に登録したり、お気に入り店舗の登録の解除を行ったりすることができる。
先に図３（Ａ）、図３（Ｂ）、図３（Ｃ）に示した導入画面は、配信指定地域設定画面にて配信指定地域の設定が行われたか否かにかかわらず表示が可能であるが、図９の導入画面については、配信指定地域の設定が行われていない場合には、表示しても有用性がない。
そこで、導入画面として図９の操作画面を追加するにあたっては、例えば４つのユーザグループごとに図３（Ａ）、図３（Ｂ）、図３（Ｃ）、図９の導入画面を対応させる。そのうえで、図９の導入画面に対応するユーザグループに関しては、配信指定地域設定画面にて配信指定地域の設定が行われたのであれば図９の導入画面を表示させ、配信指定地域の設定が行われなかった場合には、例えば図３（Ａ）の導入画面を表示させるようにする。
そして、利用履歴情報においては、図９の導入画面が表示されたユーザＩＤのみが図９の導入画面に対応するユーザグループに対応付けられて管理されるようにする。このように利用履歴情報を管理すれば、初回起動において図９の導入画面が表示されたユーザのみによるユーザグループを対象として適切に定着状況の評価を行うことができる。
【００６４】
なお、図７に示される処理手順例によれば、ステップＳ１０４によりユーザグループが決定された後においてウェルカム画面と配信指定地域設定画面の表示が行われている。そこで、例えば、導入画面だけではなく、例えばウェルカム画面と配信指定地域設定画面との少なくともいずれかについて、ユーザグループごとに応じて異なる内容の画面が表示されるようすることができる。
【００６５】
なお、上記実施形態の説明では、図３（Ａ）、図３（Ｂ）、図３（Ｃ）、さらには図９に示した導入画面の表示にあたり、ユーザ端末装置２００がＵＲＬを指定することで、表示のための導入画面のデータを電子チラシ配信サーバ１００から取得するようにされている。
しかしながら、例えば導入画面のデータについては、電子チラシリスト閲覧アプリケーションが利用するデータとしてユーザ端末装置２００において予め記憶されていてもよい。即ち、この場合には、電子チラシリスト閲覧アプリケーションがユーザ端末装置２００にインストールされたことに応じて導入画面のデータがユーザ端末装置２００の記憶部２０３に記憶される。
この場合の導入画面の表示にあたっては、電子チラシリスト閲覧アプリケーションが、記憶部２０３に記憶されている導入画面のデータのうちから、ユーザＩＤの決定利用桁の値に応じて決定されたグループに応じて（さらに図９の導入画面との対応では配信指定地域が設定されたか否かに応じて）データを取得し、表示部２０４に導入画面として表示させればよい。このような構成の場合、ユーザ端末装置２００は、導入画面の表示にあたって電子チラシ配信サーバ１００から導入画面のデータを取得するための通信を行う必要がないことから、例えば通信環境の影響による遅延を生じることなく表示を行うことができる。
また、導入画面のデータと同様に、例えばウェルカム画面や配信指定地域設定画面のデータなどについても、電子チラシリスト閲覧アプリケーションが利用するデータとしてユーザ端末装置２００の記憶部２０３に予め記憶させておき、表示に利用することができる。
【００６６】
なお、上記実施形態の説明では、定着状況の評価を電子チラシ配信サーバ１００が行っている。しかし、定着状況の評価は、例えば電子チラシ配信サーバ１００とは異なる情報処理装置によって行われるように構成されてもよい。この場合、情報処理装置は、例えばネットワーク経由で通信を行うことによって、電子チラシ配信サーバ１００から利用履歴情報を取得すればよい。
【００６７】
なお、上述の電子チラシ配信サーバ１００やユーザ端末装置２００の機能を実現するためのプログラムをコンピュータ読み取り可能な記録媒体に記録して、この記録媒体に記録されたプログラムをコンピュータシステムに読み込ませ、実行することにより上述の電子チラシ配信サーバ１００やユーザ端末装置２００としての処理を行ってもよい。ここで、「記録媒体に記録されたプログラムをコンピュータシステムに読み込ませ、実行する」とは、コンピュータシステムにプログラムをインストールすることを含む。ここでいう「コンピュータシステム」とは、ＯＳや周辺機器等のハードウェアを含むものとする。また、「コンピュータシステム」は、インターネットやＷＡＮ、ＬＡＮ、専用回線等の通信回線を含むネットワークを介して接続された複数のコンピュータ装置を含んでもよい。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。このように、プログラムを記憶した記録媒体は、ＣＤ−ＲＯＭ等の非一過性の記録媒体であってもよい。また、記録媒体には、当該プログラムを配信するために配信サーバからアクセス可能な内部または外部に設けられた記録媒体も含まれる。配信サーバの記録媒体に記憶されるプログラムのコードは、端末装置で実行可能な形式のプログラムのコードと異なるものでもよい。すなわち、配信サーバからダウンロードされて端末装置で実行可能な形でインストールができるものであれば、配信サーバで記憶される形式は問わない。なお、プログラムを複数に分割し、それぞれ異なるタイミングでダウンロードした後に端末装置で合体される構成や、分割されたプログラムのそれぞれを配信する配信サーバが異なっていてもよい。さらに「コンピュータ読み取り可能な記録媒体」とは、ネットワークを介してプログラムが送信された場合のサーバやクライアントとなるコンピュータシステム内部の揮発性メモリ（ＲＡＭ）のように、一定時間プログラムを保持しているものも含むものとする。また、上記プログラムは、上述した機能の一部を実現するためのものであってもよい。さらに、上述した機能をコンピュータシステムにすでに記録されているプログラムとの組み合わせで実現できるもの、いわゆる差分ファイル（差分プログラム）であってもよい。
【符号の説明】
【００６８】
１００  電子チラシ配信サーバ、１０１  通信部、１０２  制御部、１０３  記憶部、１２１  アクセス応答処理部、１２２  利用履歴情報管理部、１２３  定着状況評価部、１３１  電子チラシデータ記憶部、１３２  利用履歴情報記憶部、２００  ユーザ端末装置、２０１  通信部、２０２  制御部、２０３  記憶部、２０４  表示部、２０５  操作部、２２１  ユーザグループ決定部、２２２  表示制御部、２３１  ユーザグループ情報記憶部
【図１】
0006696137.tif 000002
【図２】
0006696137.tif 000003
【図３】
0006696137.tif 000004
【図４】
0006696137.tif 000005
【図５】
0006696137.tif 000006
【図６】
0006696137.tif 000007
【図７】
0006696137.tif 000008
【図８】
0006696137.tif 000009
【図９】
0006696137.tif 000010